(57)【要約】  【課題】  翻訳作業を効率的に進めることができ、迅速で、信頼性の高い翻訳支援を行うことができる翻訳装置、翻訳支援プログラム及び翻訳プログラムを提供する。  【解決手段】    第１言語での入力文に基づいて、第１言語の例文とその例文の第２言語による翻訳文を対訳例文として検索し翻訳支援を行う翻訳支援装置であって、入力文を受付ける入力文受付部と、受付けられた例文の部分列を作成する部分列作成部と、例文の部分列を用いて第１言語と第２言語の対訳例文を検索する対訳例文検索部と、対訳例文と該対訳例文に係る例文の部分列とに基づいて、検索された前記対訳例文の評価を行い評価値を付与する評価値付与部と、評価値に基づいて、対訳例文から所定の対訳例文をフレーズ候補として抽出するフレーズ候補抽出部と、フレーズ候補から所定のフレーズを選択するフレーズ候補整理部と、フレーズ候補が付加された前記入力文を表示するフレーズ候補付き入力文表示部とを備える。  【選択図】  図１
2006134062.tif 000002
【特許請求の範囲】
【請求項１】
第１言語での入力文に基づいて、第１言語の例文とその例文の第２言語による翻訳文を対訳例文として検索し翻訳支援を行う翻訳支援装置であって、
前記入力文を受付ける入力文受付部と、
前記入力文受付部で受付けられた例文の部分列を作成する部分列作成部と、
前記部分列作成部により作成された例文の部分列を用いて第１言語と第２言語の対訳例文を検索する対訳例文検索部と、
前記対訳例文検索部により検索された対訳例文と該対訳例文に係る例文の部分列とに基づいて、検索された前記対訳例文の評価を行い評価値を付与する評価値付与部と、
前記評価値付与部により付与された評価値に基づいて、前記対訳例文検索部で検索された前記対訳例文から所定の対訳例文をフレーズ候補として抽出するフレーズ候補抽出部と、
前記フレーズ候補抽出部により抽出されたフレーズ候補から所定のフレーズを選択するフレーズ候補整理部と、
フレーズ候補整理部で整理されたフレーズ候補が付加された前記入力文を表示データとして作成するフレーズ候補付き入力文作成部と
を備えてなる翻訳支援装置。
【請求項２】
請求項１に記載の翻訳支援装置において、
前記フレーズ候補が付加された入力文に対し、前記フレーズ候補に基づいて、該フレーズ候補を有する表示用対訳例文を作成する対訳例文表示データ作成部を備えることを特徴とする翻訳支援装置。
【請求項３】
第１言語での入力文に基づいて、第１言語の例文とその例文の第２言語による翻訳文を対訳例文として検索し翻訳を行う翻訳装置であって、
前記入力文を受付ける入力文受付部と、
前記入力文受付部で受付けられた例文の部分列を作成する部分列作成部と、
前記部分列作成部により作成された例文の部分列を用いて第１言語と第２言語の対訳例文を検索する対訳例文検索部と、
前記対訳例文検索部により検索された対訳例文と該対訳例文に係る例文の部分列とに基づいて、検索された前記対訳例文の評価を行い評価値を付与する評価値付与部と、
前記評価値付与部により付与された評価値に基づいて、前記対訳例文検索部で検索された前記対訳例文から所定の対訳例文をフレーズ候補として抽出するフレーズ候補抽出部と、
前記フレーズ候補抽出部により抽出されたフレーズ候補から所定のフレーズを選択するフレーズ候補整理部と、
入力文の構文を解析する構文解析部と、
前記構文解析部で得られた構文の意味を解析し対応訳語を含む概念構造を生成する意味解析部と、
前記フレーズ候補整理部で得られたフレーズ候補における第１言語の単語で前記対応訳語を検索する対応訳語検索部と、
前記対応訳語検索部により前記対応訳語がヒットした場合に、前記意味解析部で生成された概念構造の対応訳語における第２言語の単語を、前記フレーズ候補における前記第１言語の単語に対応する第２言語の単語に置き換える訳語置き換え部と、
訳語置き換え部により置き換えられた訳語を用いて訳文を生成する訳文生成部と
を備える翻訳装置。
【請求項４】
第１言語での入力文に基づいて、第１言語の例文とその例文の第２言語による翻訳文を対訳例文として検索し表示する翻訳支援をコンピュータに実行させる翻訳支援プログラムであって、
前記入力文を受付ける入力文受付けステップと、
前記入力文受付けステップで受付けられた例文の部分列を作成する部分列作成ステップと、
前記部分列作成ステップにより作成された例文の部分列を用いて第１言語と第２言語の対訳例文を検索する対訳例文検索ステップと、
前記対訳例文検索ステップにより検索された対訳例文と該対訳例文に係る例文の部分列とに基づいて、検索された前記対訳例文の評価を行い評価値を付与する評価値付与ステップと、
前記評価値付与ステップにより付与された評価値に基づいて、前記対訳例文検索ステップで検索された前記対訳例文から所定の対訳例文をフレーズ候補として抽出するフレーズ候補抽出ステップと、
前記フレーズ候補抽出ステップにより抽出されたフレーズ候補から所定のフレーズを選択するフレーズ候補整理ステップと、
前記フレーズ候補整理ステップで整理されたフレーズ候補が付加された前記入力文を表示データとして作成するフレーズ候補付き入力文作成ステップと
をコンピュータに実行させる翻訳支援プログラム。
【請求項５】
第１言語の入力文を第２言語の文に翻訳する処理をコンピュータに実行させる翻訳プログラムであって、
前記入力文を受付ける入力文受付ステップと、
前記入力文受付けステップで受付けられた例文の部分列を作成する部分列作成ステップと、
前記部分列作成ステップにより作成された例文の部分列を用いて第１言語と第２言語の対訳例文を検索する対訳例文検索ステップと、
前記対訳例文検索ステップにより検索された対訳例文と該対訳例文に係る例文の部分列とに基づいて、検索された前記対訳例文の評価を行い評価値を付与する評価値付与ステップと、
前記評価値付与ステップにより付与された評価値に基づいて、前記対訳例文検索ステップで検索された前記対訳例文から所定の対訳例文をフレーズ候補として抽出するフレーズ候補抽出ステップと、
前記フレーズ候補抽出ステップにより抽出されたフレーズ候補から所定のフレーズを選択するフレーズ候補整理ステップと、
入力文の構文を解析する構文解析ステップと、
前記構文解析ステップで得られた構文の意味を解析し対応訳語を含む概念構造を生成する意味解析ステップと、
前記フレーズ候補整理ステップで得られたフレーズ候補における第１言語の単語で前記対応訳語における第１言語の単語を検索する対応訳語検索ステップと、
前記対応訳語検索ステップにより前記対応訳語における第１言語の単語がヒットした場合に、前記意味解析部で生成された概念構造の対応訳語における第２言語の単語を、前記ヒットした前記第１言語の単語に対応する第２言語の単語に置き換える訳語置き換えステップと、
訳語置き換えステップにより置き換えられた訳語を用いて訳文を生成する訳文生成ステップと
をコンピュータに実行させる翻訳プログラム。
【発明の詳細な説明】
【技術分野】
【０００１】
本発明は、原言語での入力文に基づいて、原言語の例文とその例文の翻訳言語による翻訳文を対訳例文として検索し翻訳支援や翻訳を行う翻訳支援装置、翻訳装置、翻訳支援プログラム及び翻訳プログラムに関するものである。
【背景技術】
【０００２】
産業翻訳（「実務翻訳」、「業務翻訳」等とも呼ばれる）の分野では、大量文書を効率良く高速に、かつ均質に翻訳する必要がある。均質な翻訳とは、用語や表現が統一された翻訳のことであり、作業対象文書内での統一はもちろんのこと、対象分野内の用語・表現との整合性を保証する必要がある。
【０００３】
このように統一性が重要視される産業翻訳では、同分野において過去に翻訳して作成された対訳例文を蓄積しておき、これを参照しながら翻訳作業を進めることを支援するようなシステムが使われてきた。このようなシステムは「翻訳メモリ」システムと呼ばれることも多いが、本明細書では以下、「対訳例文検索」と呼ぶこととする。
【０００４】
対訳例文検索システムでは、過去に翻訳された同内容の文書から作成された対訳文をデータベースとして蓄積する機能を備え、翻訳者はこのデータベースから作業対象の入力文に類似した例文を検索しながら翻訳作業を進める。さらに翻訳者は、自ら翻訳した訳文も原文とともに対訳文としてデータベースに登録することができるようになっているため、自らの作業範囲の中でも用語や表現を統一させることができる。
【０００５】
従来の対訳例文検索システムは、翻訳対象文の入力に対して、文レベルで類似した文が過去に蓄積された対訳例文データベース中に含まれることを想定して構築されている。例えば、入力文と検索対象文を比較したときに、１つ名詞のみが異なっていて、それ以外は全く同じであるような場合がこれに相当する。この前提から、検索結果のランキングも、文レベルで類似した対訳例文に対して有効なランキングを採用していた。また、システムユーザはこのような文全体での類似性が期待できるような理想的な場面に限定してシステムを利用していた。
【０００６】
一方、実在する対訳例文中には、文レベルでは入力文とマッチしないが、再利用可能なフレーズ（複合語や句など）を含む文が含まれている場合の方が圧倒的に多い。従来型の文レベルの類似を想定した対訳例文検索システムを流用した場合でも、ユーザが試行錯誤的に入力文の部分列を入力してみて、再利用可能なフレーズを見つけることは枠組みとしては可能である。しかしこのような使用方法は工数面で大きな負担を伴い、作業効率が重要視される実際の場面で利用されることはほとんどなかった。
【０００７】
なお、従来技術の参考技術として、下記特許文献が知られる（例えば、特許文献１参照）。
【特許文献１】特開平１０−１１６２８６号公報
【発明の開示】
【発明が解決しようとする課題】
【０００８】
従来の対訳例文検索システムは、上述したように、文レベルの一致を前提としているため、これを転用して再利用可能なフレーズを含む文を人手で探し出すためには、かなりの試行錯誤が必要となり、実用的な場面で利用することができないという問題点があった。
【０００９】
例えば従来のシステムでは、「This is the pen which I love very much.」という入力文を英日翻訳する際に、文レベルで類似している「This is the pencil which I love very much.＝これは、私がかつてとても愛した鉛筆です。」のような理想的な対訳文対が存在すれば、これを検索してきて再利用することを主に想定していた。
【００１０】
しかしながら、実際にはこのような文全体として類似した文がデータベース中に存在ことは稀で、例えば、「This is the pen.＝これがペンです。」、「They saw the pen which I love.＝彼らは、私が愛するペンを見た。」、「She loves it very much.＝彼女はそれを大変に愛している。」といった、入力文中に該入力文を構成するフレーズを含むような複数の文が存在する場合の方が多い。
【００１１】
理論的には、これらのフレーズを組み合わせて訳文を完成させればよいが、このような複数の対訳フレーズを検索してくるのには大きな手間がかかり、現実的な場面ではこのような再利用方法はなされてこなかった。
【００１２】
手間がかかる理由としては、例えば「This is the pen which I love very much.」という入力文を構成するフレーズとしてどんなものがデータベース中に存在するかを従来システムを用いて調べるためには、「This」、「This is」、「This is the」…、のような可能性のある部分列を一つ一つ入力してみて、ヒットするかどうかを試行錯誤することになるからである。
【００１３】
この操作は、繰返し作業による手間がかかるばかりでなく、従来システムのランキング表示がこのような部分一致の結果を表示するには不向きであり、作業効率を下げていた。
【００１４】
また仮にランキング方式がフレーズ用に改善されても、従来システムを流用した試行錯誤では、個々のフレーズ候補を探し出すところまではできても、入力文を構成するような適当なフレーズの組合せを計算するところまではできなかった。この点に関しては、従来システムの単なる組合せでは不十分で、フレーズ候補の組合せを見つける枠組みが必要となっていた。
【００１５】
このような技術的な問題点が原因となって、システムの対象範囲も大幅に狭められていた。従来の文レベルで類似した文を検索するシステムでは、これに適したデータの存在する翻訳分野のみが対象であったが、これは全翻訳市場のほんの一部である。市場全体から見ると、文レベルで再利用できる例文よりもフレーズレベルで再利用できる例文のほうが圧倒的に多く、システムの対象とする市場が大幅に限定されているという問題があった。
【００１６】
本発明は、翻訳市場に関わらず、翻訳作業を効率的に進めることができ、迅速で、信頼性の高い翻訳支援や翻訳を行うことができる翻訳支援装置、翻訳装置、翻訳支援プログラム及び翻訳プログラムを提供することを目的としている。
【課題を解決するための手段】
【００１７】
上述した課題を解決するため、本発明は、第１言語での入力文に基づいて、第１言語の例文とその例文の第２言語による翻訳文を対訳例文として検索し翻訳支援を行う翻訳支援装置であって、前記入力文を受付ける入力文受付部と、前記入力文受付部で受付けられた例文の部分列を作成する部分列作成部と、前記部分列作成部により作成された例文の部分列を用いて第１言語と第２言語の対訳例文を検索する対訳例文検索部と、前記対訳例文検索部により検索された対訳例文と該対訳例文に係る例文の部分列とに基づいて、検索された前記対訳例文の評価を行い評価値を付与する評価値付与部と、前記評価値付与部により付与された評価値に基づいて、前記対訳例文検索部で検索された前記対訳例文から所定の対訳例文をフレーズ候補として抽出するフレーズ候補抽出部と、前記フレーズ候補抽出部により抽出されたフレーズ候補から所定のフレーズを選択するフレーズ候補整理部と、フレーズ候補整理部で整理されたフレーズ候補が付加された前記入力文を表示データとして作成するフレーズ候補付き入力文作成部とを備えてなる。
【００１８】
本発明においては、前記フレーズ候補付き入力文作成部で作成されたフレーズ候補付き入力文を表示する表示部を備えることができる。
ここで、前記表示部は、前記フレーズ候補が付加された入力文の表示において、入力文中のフレーズ候補に対応する部分列を強調表示するようにするようにしたり、また、前記表示部は、前記フレーズ候補が付加された入力文の表示において、前記フレーズ候補を前記入力文の近傍に並べて表示するようにすることができる。
【００１９】
また、本発明においては、前記フレーズ候補が付加された入力文に対し、前記フレーズ候補に基づいて、該フレーズ候補を有する表示用対訳例文を作成する対訳例文表示データ作成部を備える。
【００２０】
さらに、前記対訳例文表示データ作成部は、前記表示用対訳例文において、入力文と一致する原言語側文の部分列を強調表示するように対訳例文表示データを作成するようにしたり、前記対訳例文表示データ作成部は、前記表示用対訳例文において、入力文と一致した部分がさらに、目標言語側に対応する部分列を持つ場合、この対応する部分列を強調表示するように対訳例文表示データを作成するようにすることもできる。
【００２１】
また、本発明は、第１言語での入力文に基づいて、第１言語の例文とその例文の第２言語による翻訳文を対訳例文として検索し翻訳を行う翻訳装置であって、前記入力文を受付ける入力文受付部と、前記入力文受付部で受付けられた例文の部分列を作成する部分列作成部と、前記部分列作成部により作成された例文の部分列を用いて第１言語と第２言語の対訳例文を検索する対訳例文検索部と、前記対訳例文検索部により検索された対訳例文と該対訳例文に係る例文の部分列とに基づいて、検索された前記対訳例文の評価を行い評価値を付与する評価値付与部と、前記評価値付与部により付与された評価値に基づいて、前記対訳例文検索部で検索された前記対訳例文から所定の対訳例文をフレーズ候補として抽出するフレーズ候補抽出部と、前記フレーズ候補抽出部により抽出されたフレーズ候補から所定のフレーズを選択するフレーズ候補整理部と、入力文の構文を解析する構文解析部と、前記構文解析部で得られた構文の意味を解析し対応訳語を含む概念構造を生成する意味解析部と、前記フレーズ候補整理部で得られたフレーズ候補における第１言語の単語で前記対応訳語を検索する対応訳語検索部と、前記対応訳語検索部により前記対応訳語がヒットした場合に、前記意味解析部で生成された概念構造の対応訳語における第２言語の単語を、前記フレーズ候補における前記第１言語の単語に対応する第２言語の単語に置き換える訳語置き換え部と、訳語置き換え部により置き換えられた訳語を用いて訳文を生成する訳文生成部とを備える。
【００２２】
ここでは、生成された訳文において、訳文側フレーズ候補とそれに対応する原文側フレーズが対応付けられて表示する表示部を備えるようにしても良い。
【００２３】
また、本発明は、第１言語での入力文に基づいて、第１言語の例文とその例文の第２言語による翻訳文を対訳例文として検索し表示する翻訳支援をコンピュータに実行させる翻訳支援プログラムであって、前記入力文を受付ける入力文受付けステップと、前記入力文受付けステップで受付けられた例文の部分列を作成する部分列作成ステップと、前記部分列作成ステップにより作成された例文の部分列を用いて第１言語と第２言語の対訳例文を検索する対訳例文検索ステップと、前記対訳例文検索ステップにより検索された対訳例文と該対訳例文に係る例文の部分列とに基づいて、検索された前記対訳例文の評価を行い評価値を付与する評価値付与ステップと、前記評価値付与ステップにより付与された評価値に基づいて、前記対訳例文検索ステップで検索された前記対訳例文から所定の対訳例文をフレーズ候補として抽出するフレーズ候補抽出ステップと、前記フレーズ候補抽出ステップにより抽出されたフレーズ候補から所定のフレーズを選択するフレーズ候補整理ステップと、前記フレーズ候補整理ステップで整理されたフレーズ候補が付加された前記入力文を表示データとして作成するフレーズ候補付き入力文作成ステップとをコンピュータに実行させる。
【００２４】
また、本発明は、第１言語の入力文を第２言語の文に翻訳する処理をコンピュータに実行させる翻訳プログラムであって、前記入力文を受付ける入力文受付ステップと、前記入力文受付けステップで受付けられた例文の部分列を作成する部分列作成ステップと、前記部分列作成ステップにより作成された例文の部分列を用いて第１言語と第２言語の対訳例文を検索する対訳例文検索ステップと、前記対訳例文検索ステップにより検索された対訳例文と該対訳例文に係る例文の部分列とに基づいて、検索された前記対訳例文の評価を行い評価値を付与する評価値付与ステップと、前記評価値付与ステップにより付与された評価値に基づいて、前記対訳例文検索ステップで検索された前記対訳例文から所定の対訳例文をフレーズ候補として抽出するフレーズ候補抽出ステップと、前記フレーズ候補抽出ステップにより抽出されたフレーズ候補から所定のフレーズを選択するフレーズ候補整理ステップと、入力文の構文を解析する構文解析ステップと、前記構文解析ステップで得られた構文の意味を解析し対応訳語を含む概念構造を生成する意味解析ステップと、前記フレーズ候補整理ステップで得られたフレーズ候補における第１言語の単語で前記対応訳語における第１言語の単語を検索する対応訳語検索ステップと、前記対応訳語検索ステップにより前記対応訳語における第１言語の単語がヒットした場合に、前記意味解析部で生成された概念構造の対応訳語における第２言語の単語を、前記ヒットした前記第１言語の単語に対応する第２言語の単語に置き換える訳語置き換えステップと、訳語置き換えステップにより置き換えられた訳語を用いて訳文を生成する訳文生成ステップとをコンピュータに実行させる。
【発明の効果】
【００２５】
以上説明したように本発明によれば、入力文に対して、再利用可能性が高い対訳フレーズの候補が事前に自動的に計算されて、その存在がユーザに提示され、或いは又、それぞれの対訳フレーズについて対応する対訳例文が表示される。こうして本発明によれば、翻訳者にとって、入力文を対訳例文に沿った形で翻訳しようとしている作業者にとって、見通しよく迅速に作業を行うことができて効率良く翻訳作業を行うことができる。
【発明を実施するための最良の形態】
【００２６】
本発明では、従来技術の問題点であげたような手作業による試行錯誤に相当する操作を自動的にまとめて行い、得られた候補を適切な組合せとしてユーザに提示する構成とすることで、ユーザが実際に操作する時間を大幅に短縮できるようにするものである。これを実現するために、検索システムの方で事前に翻訳文の全部分列の組み合わせによる検索を行っておき、その中から対訳フレーズとして再利用価値が高そうなものをユーザに提示する。また、提示された対訳フレーズ候補から実際の検索結果が素早く参照できるように構成する。さらに、入力文に対する適切なフレーズ候補の組合せが見つかった時点で、これらフレーズ候補を構成要素とするような訳文を生成するように構成することにより、さらに作業効率を上げることができる。この機能は、従来の機械翻訳の文解析および文生成の技術を利用することにより、実現することができる。
【００２７】
以下、本発明の実施の形態について図面を参照しつつ説明する。
実施の形態１．
図１は、本発明の実施の形態１に係る翻訳支援装置の構成を示すブロック図である。実施の形態１における翻訳支援装置は、翻訳対象の文を入力文（原言語：第１言語）として入力する入力文受付部１と、入力文から入力文の部分列として、全ての可能な部分列の組み合わせを作成する入力文部分列作成部２と、入力部分列から対訳例文をデータベース１０，１１に対して検索する対訳例文検索部３と、対訳例文検索部３で検索された部分候補に対して評価を行い、候補としての適切さの指標である評価値を付与する評価値付与部４とを備える。
【００２８】
更に、翻訳支援装置は、評価値の付与された検索結果の中から、対訳フレーズ候補として提示するのに適当なものを抽出するフレーズ候補抽出部５と、部分列が包含関係にあるような複数の候補が存在する場合に、この中で最も候補として適当なものを残して重複を削除してフレーズ候補を整理するフレーズ候補整理部６と、整理されて残されたフレーズ候補を翻訳対象である入力文に付加してなるフレーズ候補付き入力文を作成するフレーズ候補付き入力文作成部７と、フレーズ候補付き入力文を画面に表示する表示部８と、入力文に対してフレーズ候補に基づく対訳例文表示データをデータベース１０，１１から抽出して作成する対訳例文表示データ作成部９を備える。
【００２９】
対訳例文のデータベース１０，１１としては、対訳例文における原言語を格納した原言語側データベース１０と、対訳例文における目標言語を格納した目標言語側データベース１１とを備えている。なお、これらデータベース１０，１１それぞれに格納される互いに対訳関係にある原言語例文と目標言語例文は、文単位で対訳対応がなされている。
【００３０】
以下、本発明の動作を図２〜図１２を用いて説明する。図２は実施の形態１の動作を示すフローチャート、図３〜図１２は各動作における状態を示す説明図である。なお、この動作においては、英日翻訳を例にして説明する。すなわち、ここでは入力文および原言語側例文が英語で、目標言語側例文が日本語となる。もっとも、この言語対はあくまでも例であり、本発明は原理的には任意の言語対に適用可能であることは言うまでもない。
【００３１】
まず、入力文受付部１により、翻訳対象文である入力文が１文受け付けられる（ステップＳ１）。ここでは、入力文として「This is the pen which I love very much.」が入力されたところである。
【００３２】
次ぎに、入力文部分列作成部２により、入力文の各構成要素で始まる全ての長さの部分単語列が作成される（ステップＳ２）。入力文が英語のように単語単位で区切られる言語では、単語列の組み合わせが作られることになる。図３では、英語の単語区切りを使い、「部分単語列」を示している。入力文の先頭単語を始点とする全ての長さの部分単語列を作成し、次に先頭から第2単語目を始点とする全ての長さの部分列を作成し…、という具合に入力文の最後の単語を始点とする部分列まで、全ての組み合わせを作成する。
【００３３】
なお、入力文が日本語の場合には、文字単位で部分列を作ってもよいし、形態素列としてもよい。
【００３４】
次ぎに、対訳例文検索部３により、ステップＳ２で作成した部分列の一覧から、図４に示すように部分単語列を一つ取り出し（ステップＳ３）、取り出した部分単語列を入力として、対訳例文データベース１０，１１において、原言語側文を対象に類似文検索を行なう（ステップＳ４）。検索結果として、入力された部分単語列に類似した原言語文、および検索された原言語文に対応付けられた目標言語文の対の候補一覧が取り出される。これら候補を以下では「部分候補」と呼ぶ。部分候補が取り出されると、次ぎに評価値付与部４により、各部分列に対する各部分候補に対して「部分評価値」が付与され、各部分列におけるの部分評価値の最大値である「最大部分評価値」が得られる（ステップＳ５）。
【００３５】
図４では、図３で作成した部分単語列一覧から一つの部分単語列（「This is the pen which」）を取り出し、これを検索キーとして対訳例文データベースを検索したところを表している。
【００３６】
図４の下半分では、検索結果の原言語側文の候補、およびこれらに対して評価値を付与するところを表している。「部分候補」は、入力部分単語列に対する検索結果の原言語側文の一覧である。部分候補では、部分単語列と一致した単語は、下線で示している。
【００３７】
例えば、原言語側候補の「This is a pen」では、全４単語が部分単語列と一致しているので、「マッチ数」が４となっている。「候補側」では、原言語側候補文の４単語中４単語（全単語）がマッチしていることを表している。「入力側」では、入力部分列の５単語のうち４単語がマッチしていることを表している。
【００３８】
「部分評価値」は各部分候補に対する評価値であり、ここでは、「マッチ数」と「候補側」比率と「入力側」比率の積となっている。この評価式は、候補が提示するフレーズとして適切であるかを示す指標であり、本実施の形態の上記式はそれを実現する一例である。
【００３９】
このようにして、部分単語列に対する全部分候補について部分評価値が計算され、その部分評価値の中の最大値がその部分単語列に対する「最大部分評価値」となる。
【００４０】
次ぎに、以上の処理において、取り出した部分列が部分列一覧の中で最後のエントリであるかどうかの判定が行われ（ステップＳ６）、最後のエントリであれば次ステップＳ７に進み、最後のエントリでなければ最後のエントリとなるまでステップＳ３，Ｓ４の処理が繰り返される。
【００４１】
ステップＳ３〜ステップＳ６のループ処理が全エントリに対して終了すると、全ての部分列の検索結果に対して最大部分評価値が付加された状態になる。そこで、次ぎの処理として、フレーズ候補抽出部５により、これらの部分列検索結果の中で、閾値以上の最大部分評価値を与えられたものがフレーズ候補として取り出される（ステップＳ７）と共に、フレーズ候補整理部６により、取り出された評価値以上のフレーズ候補の中で重複がある場合に、重複されているものが削除されて整理される（ステップＳ８）。
【００４２】
図５は、各部分単語列とその最大部分評価値を取り出したものである。ここで閾値が仮に３だとすると、"This …"で始まる部分単語列では、"This is the"および"This is the pen"の二つが閾値以上となる。"is …"で始まる部分単語列には、閾値を超えるものはない。"This is the"および"This is the pen"は、前者が後者の部分列であるため、整理を行い、最長である後者のほうが残る。
【００４３】
図６では、ある閾値（ここでは３）以上の最大部分評価値を持った部分単語列候補を取り出し、整理を行なった結果の一覧を示している。各候補は、対訳データベース中に対応する目標言語側文を持っているため、これら目標言語側文も一緒に取り出される。これら候補を、「対訳フレーズ候補」と呼ぶ。
【００４４】
対訳フレーズ候補が取得されると、フレーズ候補付き入力文作成部７により、翻訳対象である入力文に対してフレーズ候補が付与された入力文が作成され（ステップＳ９）、その結果が表示される（ステップＳ１０）。
【００４５】
図７は、図６で作成された対訳フレーズ候補の情報を入力文に付与した状態を示し、表示部８における表示結果を示している。図６の１番目の候補におけるマッチ部分である、「This is the pen」に対応する入力文の部分に下線が付与されて表示されている。同様にして、２番目の候補のマッチ部分である「which I love」、３番目の候補のマッチ部分である「very much」がそれぞれ下線によって示されている。
【００４６】
図８は、図７に示したフレーズ候補付き入力文の表示画面に対して、更にユーザが操作を行ったところをあらわしている。ユーザは、入力文中の「This is the pen」に下線が付与されていることから、この部分列がフレーズ候補である可能性があると認識する。この部分列はハイパーリンクとして構成されており、ユーザがこのハイパーリンクを辿ることによって、この部分列を含む対訳例文が表示される。この対訳例文は対訳例文表示データ作成部９により作成され表示される。
【００４７】
図９は、図８と同様に、候補のハイパーリンクを辿った状態を示している。
【００４８】
本実施の形態における表示方法として、図１０のようにフレーズ候補付きで入力文を表示することもできる。図１０において、入力文の下部に、フレーズ候補の一覧が表示されている。フレーズ候補はそれぞれがハイパーリンクになっている。
【００４９】
図１１は、図１０の表示に対して、さらにユーザが操作を行った場合の表示を示している。図中、ユーザは、フレーズ候補のうち「this is the pen」を指定するが、そうすると、このフレーズ候補のハイパーリンクが辿られ、対応する対訳例文がポップアップして表示される。
【００５０】
本実施の形態における他の表示方法として、図１２に示すように表示することもできる。対訳例文の原言語側は「this is the pen」であるが、対訳辞書を検索した結果、これらの原言語側文中の単語が目標言語側の「これはペン」に対応していることがわかっている。そこで、このことをあらわすために、図１２に示す表示方法では、目標言語側文の対応する部分に下線による表示を行っている。
【００５１】
実施の形態２．
以下、実施の形態２について説明する。実施の形態２は、実施の形態１で得られるフレーズ候補を構成要素とし、自然文の訳文を生成する翻訳装置について説明する。
【００５２】
図１３は実施の形態２を示すブロック図である。実施の形態２の翻訳装置は、実施の形態１において上述した翻訳支援装置における入力文受付部１〜フレーズ候補整理部６及び表示部８、例文データベース１０，１１と、入力文の構文を解析する構文解析部２０と、構文の意味を解析する意味解析部２１と、フレーズ候補整理部６で得られたフレーズ候補から対応訳語を検索する対応訳語検索部２４と、構文意味の解析結果と検索された対応訳語とに基づいて訳語を変更する訳語変更部（訳語置き換え部）２２と、変更された訳語を用いて訳文を生成する訳文生成部２５と、意味解析部２１により解析された情報を格納する解析結果格納データベース２３とを備える。
【００５３】
実施の形態２における翻訳装置は、入力文を構成するフレーズ候補に対応する目標言語側フレーズ群を対象に機械翻訳の文生成技術を用いて、文の形で出力するものである。
【００５４】
構文解析部２０は、自然言語処理分野で従来から用いられている構文解析装置であり、入力文受付部１からの入力文字列を形態素列に分解してから構文構造を解析して文の構文情報を表す構文木を出力する。
【００５５】
意味解析部２１は、従来の機械翻訳で用いられるような意味解析部であり、構文解析部２０から得られた構文木に対して意味解析を行うことによって概念構造を出力する。出力された概念構造は解析結果格納データベース２３に蓄積されると同時に訳語変更部２２に渡される。
【００５６】
対応訳語検索部２４は、フレーズ候補整理部６から出力された原言語の各フレーズ候補に対応する目標言語候補群の中から、第１候補のみを取り出す。そして、ここでは、原言語側のフレーズ候補中の単語と目標言語側の第１候補中の単語との間でマッチングをとり、対応訳語を見出す。さらに、このようにして得られた対応訳語の原言語側単語を用いて、解析結果格納データベース２３の概念構造における各概念ノード中の原言語単語を検索する。
【００５７】
訳語変更部２２は、対応訳語検索部２４において概念ノードに対する検索がヒットした場合に、その対応する目標言語側単語列をフレーズ候補から得られた目標言語側単語で置き換える。
【００５８】
訳文生成部２５は、訳語変更部２２によって訳語（目標言語側単語）を置き換えられた概念構造から、既存の文生成装置を用いて訳文を出力する。文生成装置は、機械翻訳等で従来から用いられているものを用いる。
【００５９】
このようにして、本実施の形態では、構文解析部２０により、原言語文から構文解析を用いて構文構造を取り出し、得られた構文構造を意味解析部２１により、概念構造に変換し、訳文生成部２５により、変換された概念構造から目標言語の訳文を生成するようにしたものであり、構文構造の段階において、訳語変更部２２と対応訳語検索部２４により、フレーズ候補の目標言語側単語を組み入れることによって、フレーズを生かした訳文生成を行う。なお、他の方式による機械翻訳を用いて同様に適用しても良いことは言うまでもない。
【００６０】
以下、図１４に示すフローチャートを用いて実施の形態２の動作について説明する。
まず、入力文が一文受け付けられる（ステップＳ２１）。ここで、入力文に対する処理はステップＳ２２，Ｓ２７に分岐する。分岐の一方であるステップＳ２２では、図２に示したステップＳ１〜Ｓ８に対応する処理であり、入力文からフレーズ候補を作成する。
【００６１】
ステップＳ２３では、作成されたフレーズ候補から原言語側フレーズを１つ取り出し、ステップＳ２４では、取り出されたフレーズ候補から各単語が１つずつ取り出され、それぞれの単語をキーとして、目標言語側フレーズ群の各単語が検索される。ステップＳ２５により、原言語側のフレーズ毎に全ての単語について処理が繰り返される。ステップＳ２６では、ステップＳ２５までの繰り返し処理の中で、単語同士がヒットしたフレーズ対とそれら単語対自身が集計される。
【００６２】
分岐の他方であるステップＳ２７では、ステップＳ２１での入力文に対して構文解析が行われ、結果として構文木が出力される。
【００６３】
図１５は、構文解析部２０により、入力文に対する構文解析を行っている状態を示す説明図である。内部処理的には、入力文の構文構造が木構造で格納されている。構文解析の手法および結果の格納方法は、機械翻訳をはじめとする自然言語処理で一般的に使われるものであり、その処理の詳細についての説明は省略する。
【００６４】
図１５において、Ｓは文（Sentence）、ＮＰは名詞句（noun phrase）、ＶＰは動詞句（verb phrase）を表しており、“this”、“is”などは木構造の終端ノードを表し、全体として、原言語側の文法構造を表したものとなっている。
【００６５】
ステップＳ２８では、構文木に対して意味解析が行われ、結果として概念構造が生成される。
【００６６】
図１６は、図１５に示した木構造から、意味解析部２１により、概念構造を生成した状態を示す説明図である。構文構造から概念構造への変換においても、機械翻訳等で一般的に用いられる周知の手法を用いている。
【００６７】
図中、概念ノードが円で表され、関係アークが矢印で表されており、概念名は角カッコで表されている。概念ノードにおける概念は、原言語側の単語と目標言語側の単語群の両方を持っている。たとえば、概念「this」には、原文中の原言語単語である「this」が対応付けられている。なお、これら概念には、さらに図示しない「是」、「こちら」等の目標言語側単語も持っている。
【００６８】
これら目標言語側単語群は、最初は機械翻訳用対訳辞書に格納されており、概念構造が生成されるときに、各概念ノードに情報が伝達される。概念構造は、概念同士のつながりを表したものであり、これに対して目標言語の生成規則を適用することによって、訳文を生成することができる。
【００６９】
通常の機械翻訳であれば、上述のように、各概念に対応する目標言語の単語が格納されていて、これら単語を使って生成が行われる。たとえば、概念「Ｉ」に対して「わたくし」、「僕」等の目標言語単語が格納されている。
【００７０】
本実施の形態では、機械翻訳が用意した目標言語の単語列を使う代わりに、フレーズ候補整理部６により整理されたフレーズ候補を用いて対訳フレーズの目標言語側単語列を概念ノードに割当て、これら目標言語側単語を用いて訳文生成を行うわけである。
【００７１】
図１７は、フレーズ候補の第１候補のみを取り出した状態を示す説明図であり、対訳辞書の辞書引きによって単語対応が付けられた状態となっている。たとえば、図８では、「This is the pen」の対訳として３つの目標言語文である日本語文が存在しているが、その中の先頭にある「これがそのペンです」を採用する。
【００７２】
複数候補に対する順位付けとしては、原言語側文字列と目標言語側文字列の類似度を使うことができ、類似度自体は「編集距離」等を始めとする周知の様々な手法で計算することができる。同様にして、「which I love」および「very much」に関しても、第１候補の目標言語文字列を採用する。
【００７３】
このようにして各フレーズに目標言語文字列を一つずつ割り当ててから、原言語側と目標言語側で単語間の対応をとる。これは、機械翻訳対訳辞書等の対訳辞書を用いる。例えば、対訳辞書に「this」の訳語として「これ」が入っていれば、これらの対応付けを行う。同様にして、他のフレーズ対に関しても対応付け処理を行う。
【００７４】
この例では、概念「Ｉ」に対して機械翻訳辞書が用意した「わたくし」、「僕」の代わりに、対訳フレーズに現れる「私」が割り当てられる。この割当ての処理について、以下に述べる。
【００７５】
ステップＳ２９では、ステップＳ２６から単語対応付けされたフレーズ対と、ステップＳ２８からの概念構造の形となった入力文が入力される。ここで、フレーズ１つが取り出される。ステップＳ３０では、フレーズの原言語側の各単語で概念構造の各概念ノードの原言語単語が検索される。
【００７６】
ステップＳ３１では、ステップＳ３０の検索において、ヒットがあれば、フレーズにおける対応する目標言語側単語で、概念ノードの目標言語側単語を置き換える。
【００７７】
ステップＳ３２でフレーズ毎に処理が繰り返される。ステップＳ２３では、目標言語側単語の置き換えが済んだ概念構造に対して訳文生成処理が行われ、出力文が生成される。
【００７８】
図１８は、図１６に示した概念構造のそれぞれの概念に対して、フレーズ候補の単語対応情報から訳語側フレーズを対応付けした状態を示す説明図である。
【００７９】
上述のように、各概念ノードには、原言語単語と目標言語側単語群が格納されている。ここでは、もともと格納されている目標言語側単語群は用いない。図１７に示した原言語側単語で各概念ノードの原言語単語を検索し、ヒットした場合には、対応付けられた目標言語側単語フレーズの単語をその概念ノードに割り付ける。実際には、概念ノードは名詞的な概念や動詞的な概念が中心となるので、「the」等の冠詞や「which」等の関係詞はヒットしない。
【００８０】
このようにして、図１８に示すように、各概念ノードに対訳フレーズ中の単語が割り振られる。なお、フレーズ中の単語とヒットしないノードに関しては、機械翻訳でもともと用意された目標言語側単語群の中から単語を選んで使うことができる。
【００８１】
この訳語側フレーズを指定訳語として生成した訳文が、図１８の下部に表されている。概念構造からの訳文生成に関しては、従来の訳文生成技術を用いる。
【００８２】
図１９は、訳語側フレーズ候補を指定訳語として生成した訳文について、フレーズ候補の対訳関係を表示するようにした表示状態を示している。
【００８３】
以上、本発明の実施の形態について、英語を日本語に翻訳する場合に例をとって説明したが、本発明は、入力文を部分列に区切れて、各区分において対訳例文を検索できる全ての言語翻訳に適用でき、また、上述した構文解析手法及び意味解析手法についても、既存の全ての手法が適用できることは言うまでもない。
【００８４】
なお、本発明の翻訳支援プログラム並びに翻訳プログラムは、コンピュータに読取り可能な記録媒体に記録されることができ、ここで、コンピュータにより読取り可能な記録媒体には、ＣＤ−ＲＯＭやフレキシブルディスク、ＤＶＤディスク、光磁気ディスク、ＩＣカード等の可搬型記憶媒体や、コンピュータプログラムを保持するデータベース、或いは、他のコンピュータ並びにそのデータベースや、更に回線上の伝送媒体をも含むものである。
（付記１）  第１言語での入力文に基づいて、第１言語の例文とその例文の第２言語による翻訳文を対訳例文として検索し翻訳支援を行う翻訳支援装置であって、
前記入力文を受付ける入力文受付部と、
前記入力文受付部で受付けられた例文の部分列を作成する部分列作成部と、
前記部分列作成部により作成された例文の部分列を用いて第１言語と第２言語の対訳例文を検索する対訳例文検索部と、
前記対訳例文検索部により検索された対訳例文と該対訳例文に係る例文の部分列とに基づいて、検索された前記対訳例文の評価を行い評価値を付与する評価値付与部と、
前記評価値付与部により付与された評価値に基づいて、前記対訳例文検索部で検索された前記対訳例文から所定の対訳例文をフレーズ候補として抽出するフレーズ候補抽出部と、
前記フレーズ候補抽出部により抽出されたフレーズ候補から所定のフレーズを選択するフレーズ候補整理部と、
フレーズ候補整理部で整理されたフレーズ候補が付加された前記入力文を表示データとして作成するフレーズ候補付き入力文作成部と
を備えてなる翻訳支援装置。
（付記２）  付記１に記載の翻訳支援装置において、
前記フレーズ候補付き入力文作成部で作成されたフレーズ候補付き入力文を表示する表示部を備えることを特徴とする翻訳装置。
（付記３）  付記２に記載の翻訳支援装置において、
前記表示部は、前記フレーズ候補が付加された入力文の表示において、入力文中のフレーズ候補に対応する部分列を強調表示すことを特徴とする翻訳支援装置。
（付記４）  付記２に記載の翻訳支援装置において、
前記表示部は、前記フレーズ候補が付加された入力文の表示において、前記フレーズ候補を前記入力文の近傍に並べて表示することを特徴とする翻訳支援装置。
（付記５）  付記１に記載の翻訳支援装置において、
前記フレーズ候補が付加された入力文に対し、前記フレーズ候補に基づいて、該フレーズ候補を有する表示用対訳例文を作成する対訳例文表示データ作成部を備えることを特徴とする翻訳支援装置。
（付記６）  付記５に記載の翻訳支援装置において、
前記対訳例文表示データ作成部は、前記表示用対訳例文において、入力文と一致する原言語側文の部分列を強調表示するように対訳例文表示データを作成することを特徴とする翻訳支援装置。
（付記７）  付記４に記載の翻訳支援装置において、
前記対訳例文表示データ作成部は、前記表示用対訳例文において、入力文と一致した部分がさらに、目標言語側に対応する部分列を持つ場合、この対応する部分列を強調表示するように対訳例文表示データを作成することを特徴とする翻訳支援装置。
（付記８）  第１言語での入力文に基づいて、第１言語の例文とその例文の第２言語による翻訳文を対訳例文として検索し翻訳を行う翻訳装置であって、
前記入力文を受付ける入力文受付部と、
前記入力文受付部で受付けられた例文の部分列を作成する部分列作成部と、
前記部分列作成部により作成された例文の部分列を用いて第１言語と第２言語の対訳例文を検索する対訳例文検索部と、
前記対訳例文検索部により検索された対訳例文と該対訳例文に係る例文の部分列とに基づいて、検索された前記対訳例文の評価を行い評価値を付与する評価値付与部と、
前記評価値付与部により付与された評価値に基づいて、前記対訳例文検索部で検索された前記対訳例文から所定の対訳例文をフレーズ候補として抽出するフレーズ候補抽出部と、
前記フレーズ候補抽出部により抽出されたフレーズ候補から所定のフレーズを選択するフレーズ候補整理部と、
入力文の構文を解析する構文解析部と、
前記構文解析部で得られた構文の意味を解析し対応訳語を含む概念構造を生成する意味解析部と、
前記フレーズ候補整理部で得られたフレーズ候補における第１言語の単語で前記対応訳語を検索する対応訳語検索部と、
前記対応訳語検索部により前記対応訳語がヒットした場合に、前記意味解析部で生成された概念構造の対応訳語における第２言語の単語を、前記フレーズ候補における前記第１言語の単語に対応する第２言語の単語に置き換える訳語置き換え部と、
訳語置き換え部により置き換えられた訳語を用いて訳文を生成する訳文生成部と
を備える翻訳装置。
（付記９）  付記８に記載の翻訳装置において、
生成された訳文において、訳文側フレーズ候補とそれに対応する原文側フレーズが対応付けられて表示する表示部を備えることを特徴とする翻訳装置。
（付記１０）  第１言語での入力文に基づいて、第１言語の例文とその例文の第２言語による翻訳文を対訳例文として検索し表示する翻訳支援をコンピュータに実行させる翻訳支援プログラムであって、
前記入力文を受付ける入力文受付けステップと、
前記入力文受付けステップで受付けられた例文の部分列を作成する部分列作成ステップと、
前記部分列作成ステップにより作成された例文の部分列を用いて第１言語と第２言語の対訳例文を検索する対訳例文検索ステップと、
前記対訳例文検索ステップにより検索された対訳例文と該対訳例文に係る例文の部分列とに基づいて、検索された前記対訳例文の評価を行い評価値を付与する評価値付与ステップと、
前記評価値付与ステップにより付与された評価値に基づいて、前記対訳例文検索ステップで検索された前記対訳例文から所定の対訳例文をフレーズ候補として抽出するフレーズ候補抽出ステップと、
前記フレーズ候補抽出ステップにより抽出されたフレーズ候補から所定のフレーズを選択するフレーズ候補整理ステップと、
前記フレーズ候補整理ステップで整理されたフレーズ候補が付加された前記入力文を表示データとして作成するフレーズ候補付き入力文作成ステップと
をコンピュータに実行させる翻訳支援プログラム。
（付記１１）  第１言語の入力文を第２言語の文に翻訳する処理をコンピュータに実行させる翻訳プログラムであって、
前記入力文を受付ける入力文受付ステップと、
前記入力文受付けステップで受付けられた例文の部分列を作成する部分列作成ステップと、
前記部分列作成ステップにより作成された例文の部分列を用いて第１言語と第２言語の対訳例文を検索する対訳例文検索ステップと、
前記対訳例文検索ステップにより検索された対訳例文と該対訳例文に係る例文の部分列とに基づいて、検索された前記対訳例文の評価を行い評価値を付与する評価値付与ステップと、
前記評価値付与ステップにより付与された評価値に基づいて、前記対訳例文検索ステップで検索された前記対訳例文から所定の対訳例文をフレーズ候補として抽出するフレーズ候補抽出ステップと、
前記フレーズ候補抽出ステップにより抽出されたフレーズ候補から所定のフレーズを選択するフレーズ候補整理ステップと、
入力文の構文を解析する構文解析ステップと、
前記構文解析ステップで得られた構文の意味を解析し対応訳語を含む概念構造を生成する意味解析ステップと、
前記フレーズ候補整理ステップで得られたフレーズ候補における第１言語の単語で前記対応訳語における第１言語の単語を検索する対応訳語検索ステップと、
前記対応訳語検索ステップにより前記対応訳語における第１言語の単語がヒットした場合に、前記意味解析部で生成された概念構造の対応訳語における第２言語の単語を、前記ヒットした前記第１言語の単語に対応する第２言語の単語に置き換える訳語置き換えステップと、
訳語置き換えステップにより置き換えられた訳語を用いて訳文を生成する訳文生成ステップと
をコンピュータに実行させる翻訳プログラム。
【図面の簡単な説明】
【００８５】
【図１】本発明の実施の形態１に係る翻訳支援装置の構成を示すブロック図である。
【図２】実施の形態１の動作を示すフローチャートである。
【図３】入力文を部分単語列で表した状態図である。
【図４】最大部分評価値の取得方法を説明するための説明図である。
【図５】部分単語列毎の最大部分評価値を示す説明図である。
【図６】３以上の最大部分評価値を持った部分単語列候補を取り出し、整理を行なった結果の一覧を示す状態図である。
【図７】図６で作成された対訳フレーズ候補の情報を入力文に付与した状態を表示結果として示す図である。
【図８】図７に示したフレーズ候補付き入力文の表示画面に対して、更にユーザが操作を行った状態を示す図である。
【図９】図８と同様に、候補のハイパーリンクを辿った状態を示す図である。
【図１０】フレーズ候補付きで入力文を表示した表示状態を示す図である。
【図１１】図１０の表示に対して、さらにユーザが操作を行った場合の表示状態を示す図である。
【図１２】目標言語側文の対応する部分に下線による表示を行った表示状態を示す図である。
【図１３】本発明の実施の形態２に係る翻訳装置の構成を示すブロック図である。
【図１４】実施の形態２の動作を示すフローチャートである。
【図１５】構文解析部により、入力文に対する構文解析を行っている状態を示す説明図である。
【図１６】図１５に示した木構造から、意味解析部により、概念構造を生成した状態を示す説明図である。
【図１７】フレーズ候補の第１候補のみを取り出した状態を示す説明図である。
【図１８】図１６に示した概念構造のそれぞれの概念に対して、フレーズ候補の単語対応情報から訳語側フレーズを対応付けした状態を示す説明図である。
【図１９】訳語側フレーズ候補を指定訳語として生成した訳文について、フレーズ候補の対訳関係を表示した状態を示す図である。
【符号の説明】
【００８６】
１  入力文受付部、２  入力文部分列作成部、３  対訳例文検索部、４  評価値付与部、５  フレーズ候補抽出部、６  フレーズ候補整理部、７  フレーズ候補付き入力文作成部、８  表示部、９  対訳例文表示データ作成部、１０，１１  対訳例文データベース、２０  構文解析部、２１  意味解析部、２２  訳語変更（置き換え）部、２３  解析結果格納データベース、２４  対応訳語検索部、２５  訳文生成部。
【図１】
2006134062.tif 000003
【図２】
2006134062.tif 000004
【図３】
2006134062.tif 000005
【図４】
2006134062.tif 000006
【図５】
2006134062.tif 000007
【図６】
2006134062.tif 000008
【図７】
2006134062.tif 000009
【図８】
2006134062.tif 000010
【図９】
2006134062.tif 000011
【図１０】
2006134062.tif 000012
【図１１】
2006134062.tif 000013
【図１２】
2006134062.tif 000014
【図１３】
2006134062.tif 000015
【図１４】
2006134062.tif 000016
【図１５】
2006134062.tif 000017
【図１６】
2006134062.tif 000018
【図１７】
2006134062.tif 000019
【図１８】
2006134062.tif 000020
【図１９】
2006134062.tif 000021